(57)【要約】【課題】標示器に取り付けられたＩＣタグの情報を書き換えることなく、ＩＣタグに関連付けられる情報をフレキシブルに変更できるようにする管理サーバを提供する。【解決手段】タグ識別情報を記憶するＩＣタグ８が少なくとも１つ設けられて地盤に設置された標示器１を複数管理する管理サーバ４であって、複数の標示器１それぞれについて、その標示器１の位置情報、その標示器１に設けられた少なくとも１つのＩＣタグ８それぞれについてのタグ識別情報、および、その標示器１の位置情報に関連付けられた少なくとも１つのサービスに関する情報を記憶する管理テーブル４２が設けられる。【選択図】図１
2014026647.tif 000002
【特許請求の範囲】
【請求項１】
タグ識別情報を記憶するＩＣタグが少なくとも１つ設けられて地盤に設置された標示器を複数管理する管理サーバであって、
前記複数の標示器それぞれについて、
その標示器が設置されている場所の位置情報、
その標示器に設けられた前記少なくとも１つのＩＣタグそれぞれについてのタグ識別情報、および、
その標示器の位置情報に関連付けられた少なくとも１つのサービスに関する情報を記憶する管理テーブルが設けられた、管理サーバ。
【請求項２】
タグ識別情報を記憶するＩＣタグが少なくとも１つ設けられて地盤に一部または全部が埋め込まれた杭を複数管理する管理サーバであって、
前記複数の杭それぞれについて、
その杭に設けられた前記少なくとも１つのＩＣタグそれぞれについてのタグ識別情報、および、
その杭に関連付けられた少なくとも１つのサービスに関する情報を記憶する管理テーブルが設けられた、管理サーバ。
【請求項３】
請求項１または２に記載の管理サーバにおいて、
前記標示器の位置情報に関連付けられた少なくとも１つのサービスまたは前記杭に関連付けられた少なくとも１つのサービスは、その標示器または杭にアクセスできる個人を潜在的利用者とするものである、管理サーバ。
【請求項４】
請求項１から３のいずれか一項に記載の管理サーバにおいて、
前記標示器の位置情報に関連付けられた少なくとも１つのサービスまたは前記杭に関連付けられた少なくとも１つのサービスは、その標示器または杭が設置されている場所の周辺で提供されるサービスである、管理サーバ。
【請求項５】
請求項１から４のいずれか一項に記載の管理サーバにおいて、
前記サービスの種別は、避難経路、史跡探索およびグルメ情報のうちの少なくともいずれか１つを含む、管理サーバ。
【請求項６】
請求項１から５のいずれか一項に記載の管理サーバにおいて、
前記サービスに関する情報は、
前記サービスの種別が避難経路を含む場合には、災害状況を通知する情報を含むサーバへのアクセス方法を含み、
前記サービスの種別が史跡探索を含む場合には、前記サービスをその位置情報が関連付ける標示器または前記サービスを関連付ける杭が設置された場所の周辺の史跡を示した地図を含むサーバへのアクセス方法を含み、
前記サービスの種別がグルメ情報を含む場合には、前記サービスをその位置情報が関連付ける標示器または前記サービスを関連付ける杭が設置された場所の周辺の地図を含むサーバへのアクセス方法を含む、管理サーバ。
【請求項７】
請求項１から６のいずれか一項に記載の管理サーバと、
ＩＣタグが記憶するタグ識別情報を読み取るリーダ機能を有する少なくとも１つの端末であって、このリーダ機能によって読み取ったタグ識別情報を用いて、そのＩＣタグを設けた標示器の位置情報に関連付けられた前記少なくとも１つのサービスまたは前記杭に関連付けられた前記少なくとも１つのサービスに関する情報を前記管理サーバから取得するアプリケーションソフトウェアを含む端末とを備えた、サービス提供システム。
【請求項８】
請求項７に記載のサービス提供システムにおいて、
前記ＩＣタグは、前記端末のリーダ機能がそのＩＣタグのタグ識別情報を読み取ると、その端末に、そのＩＣタグを設けた標示器の位置情報に関連付けられた前記少なくとも１つのサービスまたは前記杭に関連付けられた前記少なくとも１つのサービスの提供に必要なアプリケーションソフトウェアを自動的にダウンロードさせる、サービス提供システム。
【発明の詳細な説明】
【技術分野】
【０００１】
本発明は、標示器または情報杭を管理する管理サーバ、および標示器または情報杭に取り付けられたＩＣタグを介してサービスを提供するシステムに関する。なお、「情報杭」とは、様々な情報を関連付けることができる杭のことをいう。
【背景技術】
【０００２】
いわゆる「スマートフォン」と称される高機能携帯電話には、ＩＣタグの記憶情報を読取ることができるものがある。これにより、個人であっても、容易にＩＣタグの記憶情報を読み取ることができる。例として、ＩＣタグがアクセス先のウェブページのＵＲＬを記憶し、これを読み取ったスマートフォンが、このＵＲＬにアクセスするものがある（特許文献１参照）。
【先行技術文献】
【特許文献】
【０００３】
【特許文献１】特開２００８−１６５７３６号公報
【発明の概要】
【発明が解決しようとする課題】
【０００４】
しかし、ＩＣタグ自体がＵＲＬのような情報を記憶すると、記憶された情報を変更させるには、ＩＣタグ・ライタによる書込みが必要となる。したがって、ＵＲＬを変更して、そのＵＲＬを通じて提供されるサービスを切り換えるような場合、作業が煩雑になる。
【０００５】
そこで、本発明は、標示器に取り付けられたＩＣタグの情報を書き換えることなく、そのＩＣタグを介して提供されるサービスをフレキシブルに切り換えることができるようにする、管理サーバ、およびサービス提供システムを提供することを目的とする。
【課題を解決するための手段】
【０００６】
上記目的を達成するために、本発明の一構成にかかる管理サーバは、タグ識別情報を記憶するＩＣタグが少なくとも１つ設けられて地盤に設置された標示器を複数管理する管理サーバであって、前記複数の標示器それぞれについて、その標示器が設置されている場所の位置情報、その標示器に設けられた前記少なくとも１つのＩＣタグそれぞれについてのタグ識別情報、および、その標示器の位置情報に関連付けられた少なくとも１つのサービスに関する情報を記憶する管理テーブルが設けられる。
【０００７】
ここで、「標示器」とは、地籍調査を行うような場合に使用される土地や道路の位置、または、その位置のケーブル、水道管、ガス管などの埋設状況を標示する位置標示器をいう。
【０００８】
この構成によれば、標示器の位置情報に関連づけられたサービスに関する情報を、標示器に設けられたＩＣタグではなく管理サーバの管理テーブルが記憶するので、標示器に取り付けられたＩＣタグの情報を書き換えることなく、そのＩＣタグを介して提供されるサービスをフレキシブルに切り換えることができる。また、ＩＣタグは、ＵＲＬのようなある程度のサイズを有するデータではなく数バイトからなるタグ識別情報（タグＩＤ）さえ記憶すればよいため、記憶容量の小さい安価なＩＣタグを用いることも可能である。そして、標示器の位置情報を記憶するため、この位置を中心とした範囲におけるサービスをその標示器に関連付けることができる。
【０００９】
本発明の他の構成にかかる管理サーバは、タグ識別情報を記憶するＩＣタグが少なくとも１つ設けられて地盤に一部または全部が埋め込まれた杭を複数管理する管理サーバであって、前記複数の杭それぞれについて、その杭に設けられた前記少なくとも１つのＩＣタグそれぞれについてのタグ識別情報、および、その杭に関連付けられた少なくとも１つのサービスに関する情報を記憶する管理テーブルが設けられる。
【００１０】
この構成によれば、杭に関連づけられたサービスに関する情報を、杭に設けられたＩＣタグではなく管理サーバの杭管理テーブルが記憶するので、杭に取り付けられたＩＣタグの情報を書き換えることなく、そのＩＣタグを介して提供されるサービスをフレキシブルに切り換えることができる。また、ＩＣタグが杭に設けられるため、杭の一部のみが地盤に埋め込まれていれば、誰でも容易にこの杭に取り付けられたＩＣタグの読み取りを行うことができる。
【００１１】
なお、上記各構成において、管理サーバに設けられる管理テーブルは、管理サーバ自体に含まれてもよく、または、管理サーバに接続されたデータベースに含まれてもよい。さらには、管理サーバからのアクセスが可能でさえあれば、杭管理テーブルの実体はいかなる場所に存在してもよい。
【００１２】
好ましい実施形態においては、前記標示器の位置情報に関連付けられた少なくとも１つのサービスまたは前記杭に関連付けられた少なくとも１つのサービスは、その標示器または杭にアクセスできる個人を潜在的利用者とするものである。これによれば、標示器または杭にアクセスできる個人が潜在的利用者であるサービスに関する情報が管理テーブルに記憶されているため、標示器または杭の近傍に位置する個人がこのサービスに関する情報を取得できれば、この個人にとっても、サービスの提供者にとっても有益である。そのため、前記標示器の位置情報に関連付けられた少なくとも１つのサービスまたは前記杭に関連付けられた少なくとも１つのサービスは、好ましくは、その標示器または杭が設置されている場所の周辺で提供されるサービスである。これにより、標示器または杭の位置を中心として画定された範囲に含まれるサービスの情報を集めて１つのグループとすることができる。
【００１３】
ここで、「標示器または杭にアクセスできる」とは、標示器または杭に設けられたＩＣタグが記憶するタグ識別情報を、リーダ機能を有する端末などによって読み取ることができることをいう。
また、「潜在的利用者」とは、利用者になる可能性があることをいう。
【００１４】
好ましい実施形態においては、前記サービスの種別は、避難経路、史跡探索およびグルメ情報のうちの少なくともいずれか１つを含む。
【００１５】
前記サービスに関する情報は、前記サービスの種別が避難経路を含む場合には、災害状況を通知する情報を含むサーバへのアクセス方法を含み、前記サービスの種別が史跡探索を含む場合には、前記サービスをその位置情報が関連付ける標示器または前記サービスを関連付ける杭が設置された場所の周辺の史跡を示した地図を含むサーバへのアクセス方法を含み、前記サービスの種別がグルメ情報を含む場合には、前記サービスをその位置情報が関連付ける標示器または前記サービスを関連付ける杭が設置された場所の周辺の地図を含むサーバへのアクセス方法を含む。
【００１６】
ここで、「サービスに関する情報がサーバへのアクセス方法を含む」とは、好ましくは、そのサーバのＵＲＬをサービスに関する情報に含むことをいう。
【００１７】
本発明の一構成にかかるサービス提供システムは、前記管理サーバと、ＩＣタグが記憶するタグ識別情報を読み取るリーダ機能を有する少なくとも１つの端末であって、このリーダ機能によって読み取ったタグ識別情報を用いて、そのＩＣタグを設けた標示器の位置情報に関連付けられた前記少なくとも１つのサービスまたは前記杭に関連付けられた前記少なくとも１つのサービスに関する情報を前記管理サーバから取得するアプリケーションソフトウェアを含む端末とを備える。
【００１８】
この構成によれば、端末が、そのリーダ機能によって読み取ったタグ識別情報を用いて、ＩＣタグを設けた標示器の位置情報または杭に関連付けられたサービスに関する情報をアプリケーションソフトウェアによって取得できるので、端末を携帯する個人は、その端末のリーダ機能がＩＣタグのタグ識別情報を読み取ることができるように端末を標示器または杭にかざすだけでサービスに関する情報を取得できる。
【００１９】
「端末」は、リーダ機能を有して管理サーバと通信できるものであればいかなるものであってもよい。端末と管理サーバとの通信は、好ましくは無線通信である。端末は、好ましくは多機能携帯電話機であるが、電話機能はなくてもよい。また、端末はタブレット端末であってもよい。なお、ＩＣタグが記憶するタグ識別情報を読み取るリーダ機能は、端末の本体と別個に設けられてもよい。
【００２０】
好ましい実施形態においては、前記ＩＣタグは、前記端末のリーダ機能がそのＩＣタグのタグ識別情報を読み取ると、その端末に、そのＩＣタグを設けた標示器の位置情報に関連付けられた前記少なくとも１つのサービスまたは前記杭に関連付けられた前記少なくとも１つのサービスの提供に必要なアプリケーションソフトウェアを自動的にダウンロードさせる。これによれば、サービスの提供に必要なアプリケーションソフトウェアが自動的にダウンロードされるので、端末を携帯する個人の利便性が向上する。
【発明の効果】
【００２１】
本発明にかかるシステムによれば、ＩＣタグを介して提供されるサービスに関する情報はＩＣタグ自体が記憶するのではなく、管理サーバのＩＣタグ管理テーブルに記憶されるため、ＩＣタグを介して提供されるサービスをフレキシブルに切り換えることができる。また、ＩＣタグは標示器に取り付けられているため、標示器の位置情報とＩＣタグを介して提供されるサービスに関する情報とが関連付けられ、ＩＣタグはこの関連付けにおける媒体の役割を果たす。
【図面の簡単な説明】
【００２２】
【図１】本発明の一実施形態にかかるシステムの概略概念構成図である。
【図２】図１のシステムの管理サーバのＩＣタグ管理テーブルを示す概略図である。
【発明を実施するための形態】
【００２３】
以下、本発明の一実施形態を図面に基づいて説明する。
図１に示す本実施形態にかかるシステム１は、それぞれ地盤に一部または全部が埋め込まれた１つまたは複数の杭（標示器）２に取り付けられたＩＣタグ８と多機能携帯電話機３を介して複数のサービスを提供するものであり、情報杭管理サーバ（管理サーバ）４と、それぞれ異なるサービスを提供する複数のウェブサーバ５とを含む。多機能携帯電話機３、管理サーバ４およびウェブサーバ５は、インターネット６によって相互に接続される。
【００２４】
本実施形態において、杭２は、地籍調査を行うような場合に使用される土地や道路の位置に関する情報、または、ケーブル、水道管、ガス管などの地下埋設物の位置情報のような、地理的情報を表示するための標示杭である。ここで、杭２は設置場所をほとんど選ばないため、任意の範囲の領域ごとに杭２を設置して、各領域において提供するサービスを関連付けることができる。このサービスには、後述するようにアプリケーションソフトウェアが対応する。また、各領域には、その対応するセキュリティ種別（セキュリティ）が関連付けられてもよい。
【００２５】
杭２には、それぞれ、１つまたは複数のＩＣタグ８が取り付けられる。具体的には、杭２の内部の収納空間にＩＣタグ８が収納されるか、または杭２の頭部にＩＣタグ８が装着されて、ＩＣタグ８は杭２に固定されることで取り付けられる。なお、ＩＣタグ８の杭２への固定はいかなる方法によるものであってもよい。また、ＩＣタグ８は必ずしも杭２に固定されていなくともよい。ただし、好ましくは、ＩＣタグ８は杭２の内部の収納空間に収納されている。これにより、耐候性が向上する。この杭２に取り付けられたＩＣタグ８は、後述するように多数の個人によってアクセスされるため、杭２は視認されやすいのが好ましい。したがって、杭２は好ましくは一部のみが地盤に埋め込まれている。
【００２６】
杭２に関連付けられたＩＣタグ８は、例えば８バイトの記憶容量からなる記憶領域を有する。多機能携帯電話機３は、ＩＣタグのリーダ機能を有し、ＩＣタグ８つまりそのＩＣタグ８が取り付けられた杭２に近づけて、ＩＣタグ８の記憶領域に記憶された情報を読み取る。この記憶される情報には、ＩＣタグ８のタグ番号が含まれる。多機能携帯電話機３は、ＩＣタグのリーダ機能のみでなくライタ機能をさらに有してもよい。多機能携帯電話機３には、ＩＣタグ８へのアクセス用のアプリケーションソフトウェア（以下、「アプリ」と称する）が搭載されており、ＩＣタグ８の記憶領域から読み取られた情報は、このアクセス用のアプリによって処理される。この処理によって、アクセス用のアプリは、ＩＣタグ８の記憶領域から読み取った情報に含まれるタグ番号を認識する。アクセス用のアプリは、好ましくは多機能携帯電話機３にプレインストールされている。多機能携帯電話機３には、このアクセス用の他に、後述する様々な用途アプリが、ダウンロードによってインストールされる。そして、これらアプリにおいて、杭２のＩＣタグ８に記憶されたタグ番号が、共通のキーとして用いられる。また、タグ番号は、位置情報を示す役割を果たすこともできる。
【００２７】
管理サーバ４は杭２を管理するものであり、接続されたデータベース４１に杭管理テーブル（管理テーブル）４２を記憶する。杭管理テーブル４２は、図２に示すように、各杭に対応して杭関連情報記憶列４２ａを有する。杭関連情報記憶列４２ａは必須の管理項目と、任意の管理項目とを有する。必須の管理項目は、例えば、杭の管理番号記憶部４２ａａ、出荷日記憶部４２ａｂ、ＩＣタグに固有のタグ番号記憶部４２ａｃ、および杭設置情報記憶部４２ａｄを含む。任意の管理項目は、例えば、サービス種別記憶部４２ａｅおよび対応するサービス関連情報記憶部４２ａｆを含み、このサービス種別記憶部４２ａｅおよび対応するサービス関連情報記憶部４２ａｆによって、サービス記憶部４３を構成する。各杭関連情報記憶列４２ａがサービス記憶部４３を１つのみ有する場合を図示しているが、杭関連情報記憶列４２ａは、それぞれ、任意の数のサービス記憶部４３を有することができる。
【００２８】
杭の管理番号記憶部４２ａａには、杭に固有の番号が、例えば杭の出荷時に割り当てられて記憶される。出荷日記憶部４２ａｂには、杭の出荷時の年月日が記憶される。タグ番号記憶部４２ａｃには、杭に関連付けられたＩＣタグに割り当てられた固有の番号が、ＩＣタグが杭に取り付けられた時点で記憶される。すなわち、杭の出荷時に既にＩＣタグが杭に収納されているのであれば、杭の出荷時またはこれよりも以前にタグ番号がタグ記憶部４２ａｃに記憶される。一方、杭が設置された後にＩＣタグが杭に取り付けられるのであれば、その時点でタグ番号がタグ記憶部４２ａｃに記憶される。タグ番号記憶部４２ａｃに記憶されるタグ番号は、ＩＣタグの記憶領域に記憶されたものと同一であり、多機能携帯電話機３の前述したアクセス用のアプリによって認識されるタグ番号に相当する。杭設置情報記憶部４２ａｄには、杭の設置に関連する情報、例えば、杭の緯度および経度からなる設置位置、および杭の設置者などが記憶される。タグ番号として、杭の設置位置（位置情報）が用いられてもよい。その場合、後述するように、杭の設置に関わった作業者の多機能携帯電話機のＧＰＳセンサによって取得された位置情報が、その杭のタグ番号とされる。ただし、このように杭の位置情報をタグ番号とする場合、１つの杭に設けられるＩＣタグは１つのみである。
【００２９】
上述のように、サービス記憶部４３は、サービス種別記憶部４２ａｅ、対応するサービス関連情報記憶部４２ａｆおよびサービス関連画像４２ａｇから構成される。サービス種別記憶部４２ａｅには、当該杭に取り付けられたＩＣタグを介して提供されるサービスの種別が記憶される。具体的には、杭は、容易に地盤に設置されるため、単なる位置を標示するためだけでなく、様々な用途（災害時の避難経路の指標、史跡探索の指標、およびグルメ情報の指標など）で用いられることができる。すなわち、杭は、様々なサービスに対する目印であり、これらサービスの間で共通して認識される。そのため、サービス種別記憶部４２ａｅに記憶されるサービス種別によって、これらに関するサービスのうち、提供可能なサービスを特定する。サービス関連情報記憶部４２ａｆには、当該サービスを提供するウェブサーバ５（図１）のウェブページのＵＲＬのような、サービスを提供するために必要な情報が記憶される。サービス関連画像４２ａｇには、当該サービスに関連する画像が記憶される。サービスに関連する画像としては、サービス種別が避難経路の場合には、その杭が設置されている場所の周辺の航空写真、サービス種別史跡探索の場合には、その史跡の写真、サービス種別がグルメ情報の場合には、その飲食店の写真などが該当する。ただし、これらに限定されるわけではない。
【００３０】
図１に戻って、ウェブサーバ５は、それぞれ異なるサービスを提供するウェブページを有する。なお、ウェブサーバ５は、ウェブページを提供できるものであればいかなるコンピュータからなるものであってもよい。ウェブサーバ５のうち、第１のウェブサーバ５Ａは、杭が災害時の避難経路の指標として機能する場合に、例えば災害状況を通知するウェブページ５０Ａを提供する。災害状況は、広域にわたるものでもこの杭の周りに限定したものであってもよい。第２のウェブサーバ５Ｂは、杭が史跡探索の指標として機能する場合に、例えばこの杭が設置された場所の周辺の史跡を示した地図を含むウェブページ５０Ｂを提供する。第３のウェブサーバ５Ｃは、杭がグルメ情報の指標の場合に、例えばこの杭が設置された場所の周辺の飲食店を示した地図を含むウェブページ５０Ｃを提供する。ウェブサーバ５の他の例として、ウォーキング用地図を含むウェブページを提供するものであってもよい。このウォーキング用地図には、複数の杭の位置がそれぞれ示されており、これら杭がウォーキングの際のチェック箇所として機能する。そして、ウェブページからウォーキングゲームに参加した者が、これらチェック箇所でＩＣタグ８にアクセスするごとに、その参加者には特典となるポイントが付与される。これにより、多機能携帯電話機３を所持してウォーキング行う者のウォーキングに対するモチベーションが大幅に向上する。
【００３１】
次に、本実施形態にかかるシステム１の動作について、設定工程および運用工程に分けて説明する。
まず、設定工程について説明する。図１の杭２が製造されて出荷される際に、図２の杭管理テーブル４２に杭関連情報記憶列４２ａが追加され、その杭に関する情報が記憶される。具体的には、割り当てられた杭固有の管理番号が管理番号記憶部４２ａａに記憶され、杭の出荷日が出荷日記憶部４２ａｂに記憶される。杭２（図１）の出荷時にＩＣタグ８（図１）が既に杭内部に収納されているような場合は、ＩＣタグ８（図１）のタグ番号がタグ番号記憶部４２ａｃに記憶される。このタグ番号はＩＣタグに固有のものであり、ＩＣタグの記憶領域の所定の場所にも記憶されている。
【００３２】
このように出荷された杭２（図１）は、測量が行われた所定の位置における地盤に埋め込まれる。その後、測量された位置情報は、設置者のような情報と共に杭設置情報記憶部４２ａｄに記憶される。なお、位置情報は、杭２に収納されたＧＰＳセンサによって取得されてもよい。
【００３３】
このような杭管理テーブル４２の更新は、遠隔操作で行われることができる。具体的には、杭の設置に関わった作業者が、多機能携帯電話機３の所定のアプリを用いて、多機能携帯電話機３から杭の設置情報を入力すると、杭管理テーブル４２が更新される。したがって、杭を設置した際の情報は、杭を設置した時点でその場所から更新されることができる。特に、杭２の位置情報は、杭２の設置に関わった作業者の多機能携帯電話機３のＧＰＳセンサによって取得されることができる。これにより取得された位置情報は、多機能携帯電話機３から直ちに管理サーバ４および／または杭２のＩＣタグ８に送信されて、杭管理テーブル４２（図２）および／またはＩＣタグ８で記憶される。杭２が設置された後も、杭２の維持管理に関わる作業者が、杭２の設置場所に出向くごとに、その多機能携帯電話機３のＧＰＳセンサによって杭２の位置情報を取得し、そのたびに、杭管理テーブル４２（図２）および／または杭２のＩＣタグ８で記憶された位置情報が更新されてもよい。このようにして、杭２の正確な位置情報を杭管理テーブル４２（図２）やＩＣタグ８でタグ番号に関連付けて記憶することができる。ただし、杭管理テーブル４２の更新において、杭関連情報記憶列４２ａのうち、キーとして機能するタグ番号は変更されず、これ以外の情報のみが更新され得る。
【００３４】
杭２（図１）は、様々な用途を目的として設置される。例えば、災害時の避難経路の指標を目的とすることがあり、その場合、杭２（図１）の頂面に避難経路を示す矢印が付された複数の杭が、避難経路に沿って配置される。このような矢印はＬＥＤやデジタルサイネージなどから構成されてもよい。そして、災害時にこれらＬＥＤなどが点灯することで避難経路の誘導灯の役割を果たし、これら杭を辿れば避難場所に導かれる。このような目的の杭を設置した際には、サービス種別記憶部４２ａｅには、サービス種別が「避難経路（災害時の避難経路の指標）」であることが記憶され、サービス関連情報記憶部４２ａｆには災害状況を通知するウェブページのＵＲＬが記憶される。これにより、それぞれ特定の位置に配置されて地図上ではそれぞれ点を構成する複数の杭が、あたかも線によって結ばれたように機能する。すなわち、ウェブページ５０Ａ（図１）にＧＩＳ（地理情報システム）を連動させれば、地図上において、避難経路の目印となる複数の杭が示されて、その地図上において各杭の位置を点滅させれば、現場における避難経路が容易に特定される。
【００３５】
このように、避難経路として杭同士が結び付けられると、単なる点状の１つずつの杭が線状の情報を構成することになる。サービス関連情報記憶部４２ａｆには、この他にも、災害の避難場所のような情報が記憶されてもよい。杭２（図１）が、災害時の避難経路の指標のためだけではなく、史跡探索の指標のためでもある場合、同一の杭関連情報記憶列４２ａにおける別のサービス記憶部４３のサービス種別記憶部４２ａｅにサービス種別が「史跡探索（史跡探索の指標）」であることが記憶され、対応するサービス関連情報記憶部４２ａｆに史跡を示した地図を含むウェブページのＵＲＬが記憶される。同様に、杭に関連して提供できるサービスの数だけサービス記憶部４３が確保されて、それらの各サービス種別記憶部４２ａｅと各サービス関連情報記憶部４２ａｆに必要な情報が記憶される。
【００３６】
次に、運用工程について説明する。
第１に、災害が発生した場合に、図１の多機能携帯電話機３を所持した個人が避難する場合を想定する。この個人が避難の必要性を認識して道路を進行している最中に、杭２を発見するとする。この個人は、予めダウンロードした、災害時用アプリを起動して、所持する多機能携帯電話機３を杭２に近づける。これに対して、多機能携帯電話機３のＩＣタグ読取機能がＩＣタグの記憶情報を読み取り、アクセス用のアプリがタグ番号を認識する。そして、災害時用アプリは、インターネット６を介して杭管理テーブル４２にアクセスし、認識されたタグ番号をキーとして、該当する杭関連情報記憶列４２ａ（図２）を検索する。この杭関連情報記憶列４２ａ（図２）の１つまたは複数のサービス記憶部において、サービス種別記憶部４２ａｅ（図２）に記憶されたサービス種別が「避難経路（災害時の避難経路の指標）」であるものがあれば、災害時用アプリは、そのサービス関連情報記憶部４２ａｆ（図２）に記憶されたＵＲＬにインターネット６を介してアクセスして、杭関連情報記憶列４２ａ（図２）の杭設置情報記憶部４２ａｄ（図２）に記憶されている杭の位置情報に関連したウェブページ５０Ａを多機能携帯電話機３に表示する。これによって、避難場所へ向かっている個人は、杭の周辺の災害の状況を把握することができる。また、避難場所が変更になっているような場合も、このウェブページ５０Ａから把握することができる。
【００３７】
第２に、個人が多機能携帯電話機３を所持して史跡探索をする場合を想定する。史跡探索中にこの個人が杭２を発見するとする。この個人は、予めダウンロードした、史跡探索用アプリを起動して、所持する多機能携帯電話機３を杭２に近づける。これに対して、多機能携帯電話機３のＩＣタグ読取機能がＩＣタグの記憶情報を読み取り、アクセス用のアプリがタグ番号を認識する。そして、史跡探索用アプリは、インターネット６を介して杭管理テーブル４２にアクセスし、認識されたタグ番号をキーとして、該当する杭関連情報記憶列４２ａ（図２）を検索する。この杭関連情報記憶列４２ａ（図２）の１つまたは複数のサービス記憶部において、サービス種別記憶部４２ａｅ（図２）に記憶されたサービス種別が「史跡探索の指標」であるものがあれば、史跡探索用アプリは、そのサービス関連情報記憶部４２ａｆ（図２）に記憶されたＵＲＬにインターネット６を介してアクセスして、杭関連情報記憶列４２ａ（図２）の杭設置情報記憶部４２ａｄ（図２）に記憶されているウェブページ５０Ｂを多機能携帯電話機３に表示する。具体的には、このウェブページ５０Ｂは、史跡のマーカ５１を含む地図からなり、その地図の中心には、認識されたＩＣタグ８が取り付けられた杭２に相当する杭のマーカ５２が表示されている。そして、史跡探索中の個人がある史跡のマーカ５１を選択すると、吹出し５０Ｂａが表示されて、その史跡についての説明が表示される。このように、史跡探索中の個人は、所持している多機能携帯電話機３を杭２に近づけるだけで、周辺の史跡についての情報を取得することができる。
【００３８】
史跡探索のサービスの変形形態として、サービスが歴史シミュレーションゲームであってもよい。このような歴史シミュレーションゲームは、史跡探索用アプリに代えて、アプリとして機能する。この場合、多機能携帯電話機３上でその歴史シミュレーションゲームを実行させている個人が、その多機能携帯電話機３を杭２に近づけると、アクセス用のアプリがタグ番号を認識し、歴史シミュレーションゲームがインターネット６を介して管理テーブル４２にアクセスし、認識されたタグ番号をキーとして、該当する杭関連情報記憶列４２ａ（図２）を検索する。そして、この杭関連情報記憶列４２ａ（図２）から得られたＵＲＬにインターネット６を介してアクセスする。このＵＲＬのウェブページでは、その歴史シミュレーションゲームの参加者の情報を管理し、杭２に多機能携帯電話機３が近づけられたことに応答して、その杭２の設置場所に因んだ特典を付与してもよい。例えば、その設置場所に因んだキャラクタを、杭２に近づけた多機能携帯電話機３上の歴史シミュレーションゲームに付与してもよい。
【００３９】
第３に、個人が多機能携帯電話機３を所持して観光中に飲食店を探す場合を想定する。観光中にこの個人が杭２を発見するとする。この個人は、予めダウンロードした、グルメ情報用アプリを軌道して、所持する多機能携帯電話機３を杭２に近づける。これに対して、多機能携帯電話機３のＩＣタグ読取機能がＩＣタグの記憶情報を読み取り、アクセス用のアプリがタグ番号を認識する。そして、グルメ情報用アプリは、インターネット６を介して杭管理テーブル４２にアクセスし、認識されたタグ番号をキーとして、該当する杭関連情報記憶列４２ａ（図２）を検索する。この杭関連情報記憶列４２ａ（図２）の１つまたは複数のサービス記憶部において、サービス種別記憶部４２ａｅ（図２）に記憶されたサービス種別が「グルメ情報（グルメ情報の指標）」であるものがあれば、グルメ情報用アプリは、そのサービス関連情報記憶部４２ａｆ（図２）に記憶されたＵＲＬにインターネット６を介してアクセスして、杭関連情報記憶列４２ａ（図２）の杭設置情報記憶部４２ａｄ（図２）に記憶されているウェブページ５０Ｃを多機能携帯電話機３に表示する。具体的には、このウェブページ５０Ｃは、飲食店のマーカ５３を含む地図からなり、その地図の中心には、認識されたＩＣタグ８が取り付けられた杭２に相当する杭のマーカ５２が表示されている。そして、観光中の個人がある飲食店のマーカ５３を選択すると、吹出し５０Ｃａが表示されて、その飲食店についての説明が表示される。このように、観光中の個人は、所持している多機能携帯電話機３を杭２に近づけるだけで、周辺の飲食店についての情報を取得することができる。
【００４０】
このようなグルメ情報のサービスにおいては、杭２のＩＣタグ８にアクセスされるごとに、アクセスした多機能携帯電話機３の所有者に特典となるポイントが付与されてもよい。
【００４１】
なお、上記実施形態において、災害時用アプリ、史跡探索用アプリ、およびグルメ情報用アプリは、予めダウンロードされているものとして説明したが、これに限定されるわけではない。例えば、ＩＣタグへのアクセス用のアプリがＩＣタグのタグ番号を認識した時点で、多機能携帯電話機３に自動的にダウンロードしてもよい。具体的には、ＩＣタグ８は、多機能携帯電話機３を保持する個人がその多機能携帯電話機３を杭２に近づけてアクセスすると、これに応答して、その多機能形態電話機３に、所定の操作を実行させる。この所定の操作としては、サービスに必要なアプリ（災害時用アプリ、史跡探索用アプリ、およびグルメ情報用アプリ）をダウンロードし、そのダウンロードしたアプリで前記サービスに関する情報を多機能携帯電話機３に表示することが含まれる。これによれば、多機能携帯電話機３には、サービスに必要なアプリを予めダウンロードしておく必要がないため、サービスを受ける個人の利便性が向上する。また、杭に関連付けた情報が変更されても、サービスを受ける個人に、変更後のサービスに必要なアプリのダウンロードのような付加的な操作を強いることがない
【００４２】
本発明の範囲に含まれない応用形態として、ＩＣタグ８に、タグ番号に加えて、関連するサービスのＵＲＬを記憶する。なお、このＵＲＬの末尾に杭の位置情報を含めて、この位置に対応した情報がＵＲＬのウェブページから提供されるように構成されてもよい。
【００４３】
以上説明したように、多機能携帯電話機３を保持する個人が、設置された杭２を用いて、様々なサービスを受けることができる。なお、杭２に多機能携帯電話機３を近づける動作、つまりＩＣタグ８の記憶情報を読み取る動作がなくとも多機能携帯電話機３のアプリを介して様々なサービスを受けることができるが、杭を用いることで、サービスの内容を杭の近辺に容易に限定することができる。すなわち、杭管理テーブル４２に記憶された杭の位置情報によって現在地が特定されるため、アプリを介してサービスを受ける際に、現在地の住所のような項目を入力する手間が省け、容易に必要な情報を取得することができる。また、特定の位置に設置される杭に複数のサービスを関連付けることができるため、これによって、位置ごとに情報をグループ化でき、膨大な情報の管理に極めて有用である。
【００４４】
本システム１では、提供されるサービスについての情報をＩＣタグ８自体が記憶するのではなく、杭管理テーブル４２で記憶するため、提供されるサービスが変更されたり、サービスを提供するウェブページのＵＲＬのような情報が変更されたりした場合でも、杭管理テーブル４２を更新するだけで済むため、ＩＣタグ８に記憶された情報を書き換えるような煩雑な作業が不要である。
【００４５】
本システムの運用中において、杭２を新たに設置したり、設置された杭２を除去したりする場合、図２の杭管理テーブル４２に杭関連情報記憶列４２ａを新たに追加するのみ、または杭関連情報記憶列４２ａを削除するのみで済む。また、ＩＣタグ８が故障した場合、そのＩＣタグ８（図１）に代えて新たなＩＣタグ８（図１）を杭２（図１）に設けて、杭関連情報記憶列４２ａについてはタグ番号４２ａｃを変更する一方サービス種別４２ａｅなどの付加情報は引続いて記憶して、その付加情報が引続いて利用可能になるようにしてもよい。
【００４６】
本実施形態では標示器が杭２から構成されるものとしたが、標示器は、杭に限定されるものではなく、釘や鋲などから構成されてもよい。
【００４７】
本実施形態では、１つの杭に１つのＩＣタグを有する構成について説明したが、１つの杭に複数のＩＣタグが取り付けられてもよい。その場合、杭管理テーブル４２の杭関連情報記憶列４２ａはＩＣタグごとに存在する。ただし、複数のＩＣタグは、それぞれ異なる周波帯を有するものである。
【００４８】
多機能携帯電話機３は、ＩＣタグのリーダ機能とインターネットへの接続が可能なものであれば、いかなるものであってもよい。例えば、携帯情報端末（ＰＤＡ）であってもよい。この他にも、眼鏡形のようなＡＲ（拡張現実）端末または測量機器端末などであってもよい。
【００４９】
インターネット６は、いかなるネットワークであってもよく、代わりにイントラネットであってもよい。
【符号の説明】
【００５０】
１    杭
４    管理サーバ
８    ＩＣタグ
４２  杭管理テーブル
【図１】
2014026647.tif 000003
【図２】
2014026647.tif 000004